(57)【要約】【課題】個人を特定できる情報を用いずに通信を行ない、かつ出品物を映像情報などにより紹介することが可能な、意味情報ネットワークを用いたオークションシステムを提供する。【解決手段】オークション出品者の情報通信端末４はＷｅｂ２１上のオークションへ識別記号ｘｙｚの出品物を映像付で出品し（▲１▼）、イベントタイプを“オークション”、プロパティを“ｘｙｚ（識別記号）の購入希望”とするフィルタ１１をＳＩＯＮｅｔ３に設定している（▲２▼）。入札希望者の情報通信端末６が３０００円で応札をしようと“ｘｙｚの購入希望”を意味情報に含みデータを３０００円とするイベントをＳＩＯＮｅｔ３に送信する（▲３▼）。フィルタ１１が発火して出品者の情報通信端末４は前記イベントを受信して情報通信端末６が出品物ｘｙｚを３０００円で入札したことを知り（▲４▼）、入札結果が情報通信端末６に通知する（▲５▼）。【選択図】    図１
2004318698.tif 000002
【特許請求の範囲】
【請求項１】
ＩＰ通信網と、
該ＩＰ通信網上のＷｅｂと、
意味情報ネットワークと、
前記Ｗｅｂ上に商品情報と共に商品の識別記号を表示する手段と、前記意味情報ネットワーク上に、イベントタイプを「オークション」、プロパティを「前記識別記号の商品購入希望」とする意味情報を含む出品リストフィルタを設定する手段と、該出品リストフィルタが発火すると入札情報を得、入札者の情報通信端末に落札通知する手段を含む、出品者の情報通信端末と、
イベントタイプを「オークション」、プロパティを「前記識別記号の商品購入希望」、データを購入希望価格とするイベントを前記意味情報ネットワークに送信する手段を含む、入札希望者の情報通信端末を有する、意味情報ネットワークを用いたオークションシステム。
【請求項２】
前記入札希望者の情報通信端末は、該入札希望者が欲しい物品の物品名と識別記号を含む意味情報を前記意味情報ネットワークにフィルタとして設定する手段を含み、
前記出品者の情報通信端末は出品物の物品名と識別記号をイベントとして前記意味情報ネットワークに送信する手段を含む、請求項１に記載のオークションシステム。
【請求項３】
意味情報ネットワークを用いたオークション方法であって、オークション出品者の情報通信端末がＷｅｂ上に商品情報と共に商品の識別記号を表示するステップと、
オークション出品者の情報通信端末が前記意味情報ネットワーク上に、イベントタイプを「オークション」、プロパティを「前記識別番号の商品購入希望」とする意味情報を含む出品リストフィルタを設定するステップと、
入札希望者の情報通信端末が、イベントタイプを「オークション」、プロパティを「前記識別記号の商品購入希望」、データを購入希望価格とするイベントを前記意味情報ネットワークに送信するステップと、
前記出品リストフィルタが発火して前記オークション出品者の情報通信端末が前記イベントを受信するステップと、
前記オークション出品者の情報通信端末が落札した入札者の情報通信端末に落札通知するステップを有する、意味情報ネットワークを用いたオークション方法。
【請求項４】
意味情報ネットワークを用いたオークション方法において、入札希望者の情報通信端末が、該入札希望者が欲しい物品の物品名と識別記号を含む意味情報を前記意味情報ネットワークにフィルタとして設定するステップと、
出品者の情報通信端末が出品物の物品名と識別記号をイベントとして前記意味情報ネットワークに送信するステップと、
前記フィルタが前記イベントに発火することで、前記入札希望者の情報通信端末が前記イベントのパケットを受信するステップを有することを特徴とする、意味情報ネットワークを用いたオークション方法。
【請求項５】
意味情報ネットワークを用いたオークション方法において、入札希望者の情報通信端末が、該入札希望者が欲しい物品の物品名および識別番号を含む意味情報を前記意味情報ネットワークにフィルタとして設定するステップと、
出品者の情報通信端末が、出品予定物品の物品名または識別記号をイベントとして前記意味情報ネットワークに送信するステップと、
前記出品者の情報通信端末が前記フィルタの発火状況をチェックするステップを有することを特徴とする、意味情報ネットワークを用いたオークション方法。
【請求項６】
前記落札通知が、落札した入札者またはアドレスおよび識別記号を含む意味情報からなるイベントである、請求項３から５のいずれか１項に記載のオークション方法。
【請求項７】
意味情報ネットワークを用いたオークションシステムで使用される、出品者の情報通信端末であって、
Ｗｅｂ上に商品情報と共に商品の識別情報を表示する手段と、前記意味情報ネットワーク上に、イベントタイプを「オークション」、プロパティを「前記識別記号の商品購入希望」とする意味情報を含む出品リストフィルタを設定する手段と、該出品リストフィルタが発火すると入札情報を得、入札希望者の情報通信端末に落札通知する手段を含む、出品者の情報通信端末。
【請求項８】
出品物の物品名と識別記号をイベントとして前記意味情報ネットワークに送信する手段をさらに有する、請求項７に記載の情報通信端末。
【請求項９】
出品予定物品の物品名または識別記号をイベントとして前記意味情報ネットワークに送信する手段をさらに有する、請求項７に記載の情報通信端末。
【請求項１０】
意味情報ネットワークを用いたオークションシステムで使用される、入札希望者の情報通信端末であって、
イベントタイプを「オークション」、プロパティを「識別記号の商品購入希望」、データを購入希望価格とするイベントを前記意味情報ネットワークに送信する手段を有する、入札希望者の情報通信端末。
【請求項１１】
入札希望者が欲しい物品の物品名と識別記号を含む意味情報を前記意味情報ネットワークにフィルタとして設定する手段をさらに有する、請求項１０に記載の情報通信端末。
【発明の詳細な説明】
【０００１】
【発明の属する技術分野】
本発明はＩＰ（Ｉｎｔｅｒｎｅｔ  Ｐｒｏｔｏｃｏｌ）網とＳＩＯＮｅｔ（意味情報ネットワーク：Ｓｅｍａｎｔｉｃ  Ｉｎｆｏｒｍａｔｉｏｎ−Ｏｒｉｅｎｔｅｄ  Ｎｅｔｗｏｒｋ）を使ったオークションシステムに関する。
【０００２】
【従来の技術】
図７はこの種のオークションシステムの従来例の構成を示している。
【０００３】
ＳＩＯＮｅｔ３０に送信端末３１がイベントを発信し、受信端末３２〜３４はＳＩＯＮｅｔ３０上にそれぞれフィルタ４１〜４３を登録する。該イベントは例えば物品ＸＹＺを売りたいという意味情報が定義してあり、フィルタ４１には物品ＺＺＺが欲しいという条件が意味情報として登録され、フィルタ４２には物品ＸＹＺが欲しいという条件が意味情報として登録され、フィルタ４３には物品ＹＹＺが欲しいという条件が意味情報として登録されている。該イベントにフィルタ４２が発火して受信端末３３は送信端末３１が希望の物品ＸＹＺを売りに出していることを知り自律起動し、その結果として送信端末３１は受信端末３３が物品ＸＹＺを購入希望していることを知るので、両者はインターネット通信により連絡し商談に入ることが可能である。
【０００４】
図８は従来技術のイベントの定義の構成図であり、イベントタイプ名とプロパティからなる意味情報とデータから構成されている。図９は従来技術のフィルタの条件の構成図であり、イベントタイプ名とプロパティからなる意味情報から構成されている。イベントの意味情報の定義内容がフィルタの意味情報の条件に合致すれば発火して該イベントは該フィルタを登録した受信端末で受信され、該受信端末は自律起動する。
【０００５】
なお、ＳＩＯＮｅｔに関す公知文献として非特許文献１がある。また、ＳＩＯＮｅｔによるオークションシステムの例として特許文献１に記載されたものがある。
【０００６】
【非特許文献１】
星合、小柳、ビルゲー、久保田、柴田、酒井“意味情報ネットワークアーキテクチャ”  電子情報通信学会論文誌Ｂ  Ｖｏｌ．Ｊ８４−Ｂ  Ｎｏ３  ｐｐ４１１−４２４  ２００１年３月
【特許文献１】
特開２００２−２５９７４４号公報
【０００７】
【発明が解決しようとする課題】
上述した従来のオークションシステムでは以下に示すような問題点があった。
【０００８】
出品する際、入札情報の通知を受け取るために、入札希望者に何らかの連絡手段を提示する必要性があった。このため、個人を特定する情報を開示するという心理的抵抗があり、オークションへの参加を敬遠するユーザが存在した。
【０００９】
また、出品者が事前に出品物に対する需要を知ることができなかったため、落札価格を予想することが難しかった。
【００１０】
入札希望者が自ら出品物の検索を行う必要があったため、常に出品物チェックを行う必要があった。
【００１１】
オークション出品物の外観やデザインなどを知ろうとすると、ＳＩＯＮｅｔに負荷がかかり、また類似のオークション出品物が複数ある場合などその外観デザインを比較検討することも難しかった。
【００１２】
本発明の目的は、個人を特定できる情報を用いずに通信を行ない、かつ出品物を映像情報などにより紹介することが可能な、意味情報ネットワークを用いたオークションシステム、方法、および情報通信端末を提供することにある。
【００１３】
本発明の他の目的は、入札者が出品状況を頻繁にチェックする必要がない、意味情報ネットワークを用いたオークションシステムを提供することにある。
【００１４】
本発明のさらに他の目的は、出品者が出品予定物品に対する需要を事前に知ることができる、意味情報ネットワークを用いたオークション方法を提供することにある。
【００１５】
【課題を解決するための手段】
本発明のオークションシステムは、ＩＰ通信網と、ＩＰ通信網上のＷｅｂと、意味情報ネットワークと、出品者の情報通信端末と、入札希望者の情報通信端末から構成される。
【００１６】
オークション出品者の情報通信端末がＷｅｂ上に商品情報と共に商品の識別記号を表示し、意味情報ネットワーク上に、イベントタイプを「オークション」、プロパティを「前記識別番号の商品購入希望」とする意味情報を含む出品リストフィルタを設定する。
【００１７】
入札希望者の情報通信端末が、イベントタイプを「オークション」、プロパティを「前記識別記号の商品購入希望」、データを購入希望価格とするイベントを意味情報ネットワークに送信する。
【００１８】
出品リストフィルタが発火してオークション出品者の情報通信端末が前記イベントを受信し、オークション出品者の情報通信端末が落札した入札の情報通信端末に落札通知する。
【００１９】
【発明の実施の形態】
次に、本発明の実施の形態について図面を参照して説明する。
【００２０】
図１は本発明の第１の実施形態のオークションシステムの構成図である。
【００２１】
本実施形態のオークションシステムは、ＩＰ網１と、Ｗｅｂサーバ２と、ＳＩＯＮｅｔ３と、出品者の情報通信端末４と、入札希望者の情報通信端末５，６で構成されている。情報通信端末４，５，６は例えばパーソナルコンピュータである。
【００２２】
出品者の情報通信端末４はＷｅｂ上に商品情報と共に商品の識別情報を表示する手段と、ＳＩＯＮｅｔ３上に、イベントタイプを「オークション」、プロパティを「前記識別記号の商品購入希望」とする意味情報を含む出品リストフィルタを設定する手段と、該出品リストフィルタが発火すると入札情報を得、入札者の情報通信端末５，６に落札通知する手段を含む。情報通信端末５，６はイベントタイプを「オークション」、プロパティを「前記識別記号の商品購入希望」、データを購入希望価格とする前記イベントをＳＩＯＮｅｔ３に送信する手段を含む。
【００２３】
次に、本実施形態の動作を説明する。
【００２４】
ＩＰ通信網１上でＷｅｂサーバ２はＷｅｂ上のオークションを運営している。オークション出品者の情報通信端末４はＷｅｂ２１上のオークションへ識別記号ｘｙｚの出品物を映像付で出品している（▲１▼）。オークション出品者の情報通信端末４はさらに図２に示すフィルタ１１をＳＩＯＮｅｔ３に設定している（▲２▼）。フィルタ１１はイベントタイプを“オークション”、プロパティを“ｘｙｚ（識別記号）の購入希望”とする意味情報としている。このフィルタ１１の設定によりオークション出品者は“ｘｙｚの購入希望”というプロパティによりｘｙｚの購入希望者のデータを収集しようとしている。このような状況でＷｅｂ２１上で出品物ｘｙｚの映像や商品説明を見た入札希望者の情報通信端末６が３０００円で応札をしようと“ｘｙｚの購入希望”を意味情報に含みデータを３０００円とするイベントをＳＩＯＮｅｔ３に送信する（▲３▼）。図３はこのイベントの構成図であり、イベントタイプが“オークション”、プロパティを“ｘｙｚの購入希望”、データが“３０００円”となっている。該イベントがＳＩＯＮｅｔ３に送信されるとフィルタ１１が発火して出品者の情報通信端末４は前記イベントを受信して情報通信端末６が出品物ｘｙｚを３０００円で入札したことを知る（▲４▼）。複数の入札者から情報通信端末４に応札があった後、落札が決定したとして入札結果がＳＩＯＮｅｔ３経由あるいはＩＰ通信網１のメールで情報通信端末６に通知される（▲５▼）。
【００２５】
図４は本発明の第２の実施形態のオークションシステムの構成図である。入札希望者は自分の欲しい物品名“デジタルカメラｔｙｐｅ”（ｔｙｐｅは例えば製品の型番）を意味情報とする（図５）フィルタをＳＩＯＮｅｔ３および該入札希望者の情報通信端末６の受信端末機能に登録する（▲１▼）。出品者の情報通信端末４は出品物の物品名“デジタルカメラ”と該出品物に付与される識別記号ｔｙｐｅをイベントとして送信する（▲２▼）。これにより、該入札希望者は自分の欲しい物品の出品者が現れた通知を自動的に受け（▲３▼）、出品状況を頻繁にチェックする手間を省くことができる。図４の例では入札希望者の情報通信端末６はイベントタイプを“デジタルカメラ”そしてプロパティを“ｔｙｐｅ”としてフィルタ登録をし、出品者が送出するイベントタイプを“デジタルカメラ”、プロパティを“ｔｙｐｅ”、データを“３００００円”としている。
【００２６】
本実施形態によれば、欲しい物品の出品者が現れたことを情報通信端末６の入札希望者は自動的に知るので、あちこちのインターネットショップを検索したり探し回ったりする必要が無くなる。
【００２７】
また、出品者が出品予定物品名をイベントとして送信することにより、該イベントの発火状況をチェックすることで、事前に出品予定物品に対する需要を知ることができて、個人のニーズを簡単に探る市場調査が可能である。
【００２８】
図１のＳＩＯＮｅｔを用いたオークションシステムにおいて、該出品者の情報通信端末４が落札した入札者名あるいはアドレスを意味情報に含むイベントをＳＩＯＮｅｔ３に送信することにより入札者に落札結果を通知することも可能である。
【００２９】
図６は本発明の第３の実施形態のオークションシステムの構成図である。出品者の情報通信端末４は識別記号ｔｙｐｅの出品物をＩＰ網１のＷｅｂ上で広告しＳＩＯＮｅｔ３上と出品者の情報通信端末４に識別記号ｔｙｐｅを意味情報とするフィルタ１１を登録し、入札者の情報通信端末６のフィルタ１３には応札した商品の識別記号ｔｙｐｅが登録されている。このような状況で出品者が落札者を“日本太郎”に決定して識別記号ｔｙｐｅを意味情報として落札価格“３０００円”をデータとするイベントをＳＩＯＮｅｔパケットとしてＳＩＯＮｅｔ３に送信すると（▲１▼）、“ｔｙｐｅ”の意味情報をもつフィルタが発火して（▲２▼）、識別記号“ｔｙｐｅ”の意味情報をもつ全てのフィルタを設定してある情報通信端末に、情報通信端末６も含めて、該イベントが受信され落札価格が通知される。
【００３０】
【発明の効果】
以上説明したように、本発明は以下に示す効果がある。
・  オークション出品者は個人が特定できる情報を公開する必要がないので、出品を行うという行為に対する敷居が低くなり、オークションを活性化させることができる（請求項１、３、７、１０）。
・  入札希望者は、自分の欲しい物品名をＳＩＯＮｅｔ上に登録しておくことで出品者が現れた時に通知を受けられるため、出品状況を頻繁にチェックする手間を省くことができ、さらにＳＩＯＮｅｔによるオークションであっても購入希望者は出展情報をいつでも見たい時に自由にみることができる（請求項２、４）。
・  入札希望者は、入札実施時、同じ意味情報あるいは識別記号で登録されている全ての出品情報を知ることができるため、より条件の良い物品を選択して入札を行うことができる（請求項１、３、７、１０）。
・  オークション出品者は事前に出品予定物品に対する需要を知ることができるため、出品計画を立てやすくなる（請求項５）。
【図面の簡単な説明】
【図１】本発明の第１の実施形態のオークションシステムの構成図である。
【図２】フィルタの構成を示す図である。
【図３】イベントの構成を示す図である。
【図４】本発明の第２の実施形態のオークションシステムの構成図である。
【図５】第２の実施形態におけるイベントの構成を示す図である。
【図６】本発明の第３の実施形態のオークションシステムの構成図である。
【図７】従来例のオークションシステムの構成図である。
【図８】図７の従来例のオークションシステムにおけるイベントの構成図である。
【図９】図７の従来例のオークションシステムにおけるフィルタの構成図である。
【符号の説明】
１    ＩＰ通信網
２    Ｗｅｂサーバ
３    ＳＩＯＮｅｔ
４    出品者用情報通信端末
５，６    入札希望者用情報通信端末
１１，１２，１３    フィルタ
２１    ＷＷＷ
３１    ＳＩＯＮｅｔ
３２    送信端末
３３〜３５    受信端末
４１〜４３    フィルタ
【図１】
2004318698.tif 000003
【図２】
2004318698.tif 000004
【図３】
2004318698.tif 000005
【図４】
2004318698.tif 000006
【図５】
2004318698.tif 000007
【図６】
2004318698.tif 000008
【図７】
2004318698.tif 000009
【図８】
2004318698.tif 000010
【図９】
2004318698.tif 000011